(57)【要約】  ビルディング構造に付着するように構成される実質的に剛性のエアーバリア（１０）と、エアーバリア全体にわたって付着するように構成されるレインスクリーンパネル（２０）と、エアーバリアとレインスクリーンパネルとのあいだに間隙スペース（１４）を設けるように構成されるスペーシング部材と、間隙スペース内に実質的な均圧をもたらすように構成される密閉手段とを含むレインスクリーン装置。
2007521427.tif 000002
【特許請求の範囲】
【請求項１】
レインスクリーン装置であって、
ビルディング構造に付着するように構成される実質的に剛性のエアーバリアと、
前記エアーバリア全体にわたって付着するように構成されるレインスクリーンパネルと、
前記エアーバリアと前記レインスクリーンパネルとのあいだに間隙スペースを設けるように構成されるスペーシング部材と、
前記間隙スペース内に実質的な均圧をもたらすように構成される密閉手段と
を備えるレインスクリーン装置。
【請求項２】
前記スペース内の空気圧が前記スペースの外部空気圧に均一化することを可能にするために、前記圧力均一スペースから大気へのエアーベントを含む請求項１記載のレインスクリーン装置。
【請求項３】
前記装置が、予め定められた風圧下で水の侵入を阻止するように、予め定められた間隔で配置される間柱を有するビルディングフレームに使用するのに適する請求項１または２記載のレインスクリーン装置。
【請求項４】
前記間柱が、ほぼ４００〜６１０ｍｍの範囲の中心間に配置され、前記予め定められた風圧が、ほぼ１ｋＰａを超え、ほぼ４．５ｋＰａ未満である請求項３記載のレインスクリーン装置。
【請求項５】
前記剛性のエアーバリアは、前記レインスクリーン装置に組み込まれて、標準風テストにより予め定められた風圧に曝されるとき水の浸入を阻止するのに必要とされる剛性の度をもたらすように適切に補強されるあらゆるポリマー材料、あるいは、セルロース系材料、あるいは、セメント質材料から構成される請求項１、２、３または４記載のレインスクリーン装置。
【請求項６】
前記剛性のエアーバリアが、パネルの形状をとる請求項１、２、３、４または５記載のレインスクリーン装置。
【請求項７】
前記エアーバリアパネルが、厚さがほぼ２〜１５ｍｍである請求項６記載のレインスクリーン装置。
【請求項８】
前記エアーバリアパネルは、厚さが５〜７ｍｍである請求項６または請求項７記載のレインスクリーン装置。
【請求項９】
前記エアーバリアパネルが、ファイバーセメント、方向付けられたストランドボード、ベニヤ合板、メタルまたは発泡ポリマーフォーム、もしくはこれらの材料の組み合せからなる請求項６、７または８記載のレインスクリーン装置。
【請求項１０】
前記エアーバリアパネルが、実質的にファイバーセメントから形成される請求項６、７、８または９記載のレインスクリーン装置。
【請求項１１】
前記パネルが、実質的に水がそれを通って貫通することを防止するように、前記パネルの外側表面に付着されるポリマー材料、または実質的に撥水性のセルロース系材料のシートを含む請求項６、７、８、９または１０記載のレインスクリーン装置。
【請求項１２】
前記エアーバリアパネルが、水をはじく材料で処理される少なくとも外側側面を有する請求項６、７、８、９または１０記載のレインスクリーン装置。
【請求項１３】
前記エアーバリアパネルが撥水材料からなる請求項６、７、８、９または１０記載のレインスクリーン装置。
【請求項１４】
前記剛性のエアーバリアが、ポリマー材料、または実質的に撥水性のセルロース系材料を含む少なくとも一つの薄いシートの形状をとり、前記シートが、それに付着される比較的剛性の補強手段を有する請求項１、２、３、４または５記載のレインスクリーン装置。
【請求項１５】
前記シートは、前記シートの少なくとも一つの表面に積層されるファイバーグラス、メタル、あるいは、ポリマー材料のメッシュを含む比較的剛性の補強手段を有するポリオレフィン材料を含む請求項１４記載のレインスクリーン装置。
【請求項１６】
前記シートが、前記シートの少なくとも一つの表面に積層される一連のバッテンなどを含む比較的剛性の補強手段を有するポリオレフィン材料を含む請求項１４記載のレインスクリーン装置。
【請求項１７】
前記レインスクリーンパネルが、セメント質材料、方向付けられたストランドボード、ベニヤ合板、メタル、ポリマーフォーム、またはこれらの組み合せを含む請求項１、２、３、４、５、６、７、８、９、１０、１１、１２、１３、１４、１５または１６記載のレインスクリーン装置。
【請求項１８】
前記レインスクリーンパネルが、厚さがほぼ２〜１１ｍｍの間である請求項１、２、３、４、５、６、７、８、９、１０、１１、１２、１３、１４、１５、１６または１７記載のレインスクリーン装置。
【請求項１９】
前記レインスクリーンパネルが、厚さがほぼ７〜１１ｍｍの間である、請求項１、２、３、４、５、６、７、８、９、１０、１１、１２、１３、１４、１５、１６、１７または１８記載のレインスクリーン装置。
【請求項２０】
前記レインスクリーンパネルが、厚さがおよそ９ｍｍである請求項１、２、３、４、５、６、７、８、９、１０、１１、１２、１３、１４、１５、１６、１７、１８または１９記載のレインスクリーン装置。
【請求項２１】
前記レインスクリーンパネルが、実質的にファイバーセメントから形成される請求項１、２、３、４、５、６、７、８、９、１０、１１、１２、１３、１４、１５、１６、１７、１８、１９または２０記載のレインスクリーン装置。
【請求項２２】
前記レインスクリーンパネルが、外側クラッディング材料から形成される請求項１、２、３、４、５、６、７、８、９、１０、１１、１２、１３、１４、１５または１６記載のレインスクリーン装置。
【請求項２３】
請求項１、２、３、４、５、６、７、８、９、１０、１１、１２、１３、１４、１５、１６、１７、１８、１９、２０、２１または２２記載のレインスクリーン装置の少なくとも二つの隣接した剛性のエアーバリア間のジョイントを密閉するレインスクリーンエアーバリアジョイントシールであって、前記シールは、第一の表面と、前記第一の表面に対向する第二の表面とを有する実質的に弾性材料の密閉ストリップを含み、前記第一の表面は、前記剛性のエアーバリアと、前記密閉ストリップの前記第二の表面全体に使用するように設けられる少なくとも一つのバッテンとに接触するように構成され、前記バッテンは、前記ジョイントに隣接する前記エアーバリアの領域と接触して前記ストリップの前記第一の表面を維持するように、前記第二の表面と接触しているレインスクリーンエアーバリアジョイントシール。
【請求項２４】
前記第一の表面には、接着剤がその上に設けられる請求項２３記載のレインスクリーンエアーバリアジョイントシール。
【請求項２５】
前記第二の表面には、接着剤がその上に設けられる請求項２３または２４記載のレインスクリーンエアーバリアジョイントシール。
【請求項２６】
請求項１、２、３、４、５、６、７、８、９、１０、１１、１２、１３、１４、１５、１６、１７、１８、１９、２０、２１または２２記載のレインスクリーン装置の前記エアーバリアパネルの下方エッジの上に、あるいは、前記レインスクリーン装置の前記エアーバリアパネルの下方エッジに隣接して位置するように構成される第一のエッジ部分と、前記エアーバリアの下に設けられる前記レインスクリーンパネルの上方領域の上に、あるいは、前記エアーバリアの下に設けられる前記レインスクリーンパネルの上方領域に隣接して位置するように構成される第二のエッジ部分と、前記第一のエッジ部分および第二のエッジ部分と接触して、前記第一のエッジ部分および第二のエッジ部分に対してほぼ鈍角に設けられる中央部分とを含むレインスクリーンフラッシング。
【請求項２７】
前記中央部分は、水が前記中央部分全体にわたり、かつ前記レインスクリーンパネルの外側に、ドレン排水を行うことが可能なように、下方に傾斜する請求項２６記載のレインスクリーンフラッシング。
【請求項２８】
剛性のエアーバリアと、レインスクリーンパネルと、それらのあいだにスペースとを有する請求項１、２、３、４、５、６、７、８、９、１０、１１、１２、１３、１４、１５、１６、１７、１８、１９、２０、２１または２２記載のレインスクリーン装置のためのレインスクリーンベントであって、前記ベントは、前記エアーバリアの上に、あるいは、前記エアーバリアに隣接して位置するように構成される第一の壁と、前記レインスクリーンパネルの内部表面の上に、あるいは、前記レインスクリーンパネルの内部表面に隣接して位置するように構成される第二の壁と、前記第一の壁と第二の壁とのあいだに連結される中央部分とを含み、前記中央部分は、中に一つ以上の開口を有し、液体が前記スペースからドレン排水を行うことを可能にし、さらに、前記スペースへのエアーの侵入を可能にするレインスクリーンベント。
【請求項２９】
請求項１、２、３、４、５、６、７、８、９、１０、１１、１２、１３、１４、１５、１６、１７、１８、１９、２０、２１または２２記載のレインスクリーン装置のエアーバリアに位置するバッテンと、ベースを有する密閉部材と、前記ベースから突出する少なくとも二つのリップ部とを含むレインスクリーンシール構造であって、前記リップ部は、互いに一定の間隔がおかれ、一つのリップ部は、第一のレインスクリーンパネルの背面表面との実質的な密閉接触を行うように構成され、前記第二のリップ部は、第二のレインスクリーンパネルの背面表面との実質的な密閉接触を行うように構成され、前記第二のパネルは、前記第一のパネルに隣接して位置するレインスクリーンシール構造。
【請求項３０】
請求項１、２、３、４、５、６、７、８、９、１０、１１、１２、１３、１４、１５、１６、１７、１８、１９、２０、２１または２２の記載のレインスクリーン装置を構成する方法であって、当該方法が、
前記剛性のエアーバリアをビルディングフレーミングの外側側面に付着する工程と、
前記剛性のエアーバリアの外側表面全体にわたり一つ以上のバッテンを付着する工程と、
前記バッテンの少なくとも一つ全体にわたり前記レインスクリーンパネルを付着する工程と
を含む方法。
【請求項３１】
前記剛性のエアーバリアが、パネルの形状をとる請求項３０記載のレインスクリーン装置を構成する方法。
【請求項３２】
前記エアーバリアパネルが、厚さがほぼ２〜５ｍｍの間である請求項３１記載のレインスクリーン装置を構成する方法。
【請求項３３】
前記エアーバリアパネルが、厚さがほぼ５〜７ｍｍの間である請求項３１記載のレインスクリーン装置を構成する方法。
【請求項３４】
前記エアーバリアパネルが、ファイバーセメント、方向付けられたストランドボード、ベニヤ合板、メタル、発泡ポリマーフォーム、またはこれらの組み合せからなる請求項３１、３２または３３記載のレインスクリーン装置を構成する方法。
【請求項３５】
前記エアーバリアパネルが、実質的にファイバーセメントから形成される請求項３１、３２、３３または３４記載のレインスクリーン装置を構成する方法。
【請求項３６】
前記レインスクリーンパネルが、セメント質材料、方向付けられたストランドボード、ベニヤ合板、メタル、ポリマーフォーム、またはこれらの組み合せからなる請求項３０、３１、３２、３３、３４または３５記載のレインスクリーン装置を構成する方法。
【請求項３７】
前記レインスクリーンパネルが、厚さがほぼ２〜１１ｍｍの間である請求項３０、３１、３２、３３、３４、３５または３６記載のレインスクリーン装置を構成する方法。
【請求項３８】
前記レインスクリーンパネルが、厚さがほぼ７〜１１ｍｍの間である請求項３０、３１、３２、３３、３４、３５、３６または３７記載のレインスクリーン装置を構成する方法。
【請求項３９】
前記レインスクリーンパネルが、厚さがほぼ９ｍｍである請求項３０、３１、３２、３３、３４、３５、３６、３７または３８記載のレインスクリーン装置を構成する方法。
【請求項４０】
前記レインスクリーンパネルが、実質的にファイバーセメントから形成される、請求項３０、３１、３２、３３、３４、３５、３６、３７、３８または３９記載のレインスクリーン装置を構成する方法。
【請求項４１】
請求項１、２、３、４、５、６、７、８、９、１０、１１、１２、１３、１４、１５、１６、１７、１８、１９、２０、２１または２２記載のレインスクリーン装置を構成する方法であって、当該方法が、
剛性のエアーバリアパネルを設ける工程と、
耐水材料で前記エアーバリアをコーティングする工程と、
前記エアーバリアの外側表面全体にわたり一つ以上のバッテンを付着する工程と、
前記レインスクリーンパネルが前記エアーバリアから一定の間隔をおかれるように、前記バッテン全体にわたり前記レインスクリーンパネルを固定する工程と、
実質的に耐水性の材料で前記レインスクリーンパネルの外側材料をコーティングする工程と
を含んでなる方法。
【請求項４２】
前記剛性エアーバリアパネル、または前記レインスクリーンパネルの一つ、もしくは両方が、実質的にファイバー補強セメントから形成される請求項４１記載のレインスクリーン装置を構成する方法。
【請求項４３】
添付の図面および／または例示に示される本発明の実施形態のいずれか一つを参照としてここに実質的に説明されるようなレインスクリーン装置。
【請求項４４】
添付の図面および／または例示に示される本発明の実施形態のいずれか一つを参照としてここに実質的に説明されるようなレインスクリーンエアーバリアジョイントシール。
【請求項４５】
添付の図面および／または例示に示される本発明の実施形態のいずれか一つを参照としてここに実質的に説明されるようなレインスクリーンフラッシング。
【請求項４６】
添付の図面および／または例示に示される本発明の実施形態のいずれか一つを参照としてここに実質的に説明されるようなレインスクリーンベント。
【請求項４７】
添付の図面および／または例示に示される本発明の実施形態のいずれか一つを参照としてここに実質的に説明されるようなレインスクリーンシール構造。
【請求項４８】
添付の図面および／または例示に示される本発明の実施形態のいずれか一つを参照としてここに実質的に説明されるようなレインスクリーン装置を構成する方法。
【発明の詳細な説明】
【技術分野】
【０００１】
本発明は、住居用建物および商業ビルの両方のための外装システムに関し、特に、レインスクリーン装置、システム、そして、製造およびアセンブリの方法に関する。
【０００２】
本発明は、それだけではないが、特に、外部環境との均圧手段を有するレインスクリーンシステムに関する。
【背景技術】
【０００３】
明細書を通しての先行技術のあらゆる論議は、その発明およびこれの利点が適切な技術コンテキストにおいて十分に理解されることができるように提供されているが、上述の先行技術は、広く知られている、あるいは、その分野における普通の一般知識の一部を形成する承認として考慮されるべきものでない。
【０００４】
一般に、ビルディングフレームにクラッディング、あるいは、レインスクリーンを適用するとき、エアーバリア層が、最初にフレームの上に配置される。一連のバッテンが、次に、エアーバリアの頂部に配置されて、フレーム下部に付着される。最後に、クラッディング材料が、一般にバッテンに固定される。クラッディングの後のスペースは、通常、換気と、壁のキャビティに侵入することがあるあらゆる水の排出と除去とを可能にするように構成される。壁のキャビティに閉じ込められる水が、残存される、あるいは、堆積される場合、フレームおよびクラッディング構成要素の耐久性に影響を与えることがある。
【０００５】
周知のクラッディング、あるいは、レインスクリーンシステムにおいて、ハウスラップ、下見板、あるいは、防水紙などの防水膜が、ビルディングフレームの上に配置される唯一のエアーバリアである。水、特に風に吹き寄せられた雨のビルディングへの侵入は、上述のシステムが強風エリアに、あるいは、低層から中層ビルディングの上階に使用されるとき、問題になることがある。これは、ハウスラップ、下見板材料などが、フレキシブルであり、風に曝されるときに、より一般に、圧力差がエアーバリアの両側に存在するときに変形することがあるためであり、特に、下見板の隣接するシートが互いに接触したり、あるいは、重なる場合、雨、あるいは、液体水が、エアーバリアの後の壁に侵入したりすることを可能にし、それによって、壁のフレーミング内に閉じ込められて、除去の望みがほとんどない。
【発明の開示】
【０００６】
必要とされるものは、ビルディングフレームが風に吹き寄せられた雨の周期の間水の侵入を十分に防止する、ビルディング用クラッディング、あるいは、レインスクリーンシステムである。
【０００７】
本発明の目的は、先行技術の一つ以上の不利な点を解消する、あるいは、実質的に改善すること、または、少なくとも、有用な別の方法を提供することである。
【０００８】
本発明の別の目的は、これの好ましい形態において、風に吹き寄せられた雨の周期の間水の侵入にほとんど影響受けない改良されたレインスクリーンシステムおよび方法を提供することである。
【０００９】
本発明のさらなる目的は、これの好ましい形態において、低層から中層ビルディングへの使用に適する、壁のクラッディングシステム用エアーバリアを提供することである。
【００１０】
一つの態様において、本発明は、概して
ビルディング構造に付着するように構成される実質的に剛性のエアーバリアと、
エアーバリア全体にわたって付着するように構成されるレインスクリーンパネルと、
エアーバリアとレインスクリーンパネルとのあいだに間隙スペースを設けるように構成されるスペーシング部材と、
間隙スペースと外部大気とのあいだに実質的な均圧をもたらすように構成される密閉手段
とを備えるレインスクリーン装置を提供する。
【００１１】
レインスクリーン装置は、スペース内の空気圧がスペースの外部空気圧に均一化することを可能にするために、圧力均一スペースから大気へのエアーベントを含むことが好ましい。間隙スペースは、風で押し進められた雨の侵入を防止するために、頂部および両側の密閉手段によって密閉され、底部で排出されることが好ましい。
【００１２】
レインスクリーン装置は、最大予め定められたレベルの風圧で水の侵入を阻止するように、予め定められた間隔で配置される間柱を有するビルディングフレームに使用するのに適することが好ましい。間柱は、ほぼ４００〜６１０ｍｍの範囲の中心間に配置されることがより好ましい。予め定められた風圧は、ほぼ１ｋＰａを超え、ほぼ４．５ｋＰａ未満であることが好ましい。
【００１３】
実質的に剛性のエアーバリアは、レインスクリーン装置に組み込まれて、標準風テストにより予め定められた風圧に曝されるとき水の浸入を阻止するのに必要とされる剛性の程度をもたらすように適切に補強されるあらゆるポリマー材料、あるいは、セルロース系材料、あるいは、セメント質材料から構成されることができる。
【００１４】
一つの好ましい実施形態において、剛性のエアーバリアは、パネルの形状をとる。エアーバリアパネルは、厚さが２〜１５ｍｍとのあいだであることが好ましく、厚さが５〜７ｍｍのあいだであることがより好ましい。エアーバリアは、方向付けられたストランドボード、ベニヤ合板、メタル、あるいは、発泡ポリマーフォーム、または、これらの材料の組み合せを含むパネルであることがより好ましい。パネルは、ファイバーセメントを含むことが最も好ましい。
【００１５】
一つの好ましい実施形態において、エアーバリアは、ポリマー材料、あるいは、実質的に撥水セルロース系材料のシートをパネルの外側表面に付着することによって、液体水がそれを貫通することを防止するパネルである。別の方法として、エアーバリアは、液体水をはじく材料で処理される少なくとも外側側面を有するパネルである。別の方法として、エアーバリアは、撥水材料を含有するパネルである。
【００１６】
別の実施形態において、剛性のエアーバリアは、ポリマー材料、あるいは、実質的に撥水セルロース系材料を含む少なくとも一つの薄いシートの形状をとり、そのシートは、それに付着される比較的剛性の補強手段を有する。一実施形態において薄いシートは、薄いシートの少なくとも一つの表面に積層されるファイバーグラス、メタル、あるいは、ポリマー材料のメッシュを含む比較的剛性の補強手段を有する実質的にポリオレフィン材料である。別の方法として、比較的剛性の補強手段は、薄いシートの少なくとも一つの表面に積層される一連のバッテンなどを含むことができる。
【００１７】
レインスクリーンは、技術上周知のあらゆる外側クラッディングでよい。レインスクリーンは、セメント質材料、方向付けられたストランドボード、ベニヤ合板、メタル、ポリマーフォーム、あるいは、これらの組み合せを含むパネルの形状をとることが好ましい。レインスクリーンパネルは、厚さがほぼ２〜１１ｍｍの間であることがより好ましく、厚さが７〜１１ｍｍの間であることがより好ましく、厚さがおよそ９ｍｍであることが最も好ましい。レインスクリーンパネルは、ファイバーセメントシートを含むことが好ましい。
【００１８】
別の態様において、本発明は、概して、レインスクリーン装置の少なくとも二つの隣接したエアーバリアパネル間のジョイントを密閉するレインスクリーンエアーバリアジョイントシールを提供し、そのシールは、第一の表面と、その第一の表面に対向する第二の表面とを有する実質的に弾性材料の密閉ストリップを含み、第一の表面は、パネルと、シールストリップの第二の表面全体に使用するように設けられる少なくとも一つのバッテンとに接触するように構成され、そのバッテンは、ジョイントに隣接するエアーバリアの領域と接触してストリップの第一の表面を維持するように、第二の表面と接触している。
【００１９】
第一の表面には、接着剤がその上にもたらされることが好ましい。第二の表面には、接着剤がその上にもたらされることが好ましい。
【００２０】
別の態様において、本発明は、概して、レインスクリーン装置のエアーバリアパネルの下方エッジの上に、あるいは、レインスクリーン装置のエアーバリアパネルの下方エッジに隣接して位置するように構成される第一のエッジ部分と、エアーバリアパネルの下に設けられるレインスクリーンパネルの上方領域の上に、あるいは、エアーバリアパネルの下に設けられるレインスクリーンパネルの上方領域に隣接して位置するように構成される第二のエッジ部分と、第一のエッジ部分および第二のエッジ部分と接触して、第一のエッジ部分および第二のエッジ部分に対してほぼ鈍角に設けられる中央部分とを含むレインスクリーンフラッシングを提供する。
【００２１】
中央部分は、水が中央部分全体にわたり、そして、レインスクリーンパネルの外側に、ドレン排水を行うことが可能なように、下方に傾斜することが好ましい。
【００２２】
別の態様において、本発明は、概して、エアーバリアと、レインスクリーンパネルと、それらのあいだにスペースとを有するレインスクリーン装置のためのレインスクリーンベントを提供し、ベントは、エアーバリアパネルの上に、あるいは、エアーバリアパネルに隣接して位置するように構成される第一の壁と、レインスクリーンパネルの内部表面の上に、あるいは、レインスクリーンパネルの内部表面に隣接して位置するように構成される第二の壁と、第一の壁と第二の壁とのあいだに連結される中央部分とを含み、その中央部分は、中に一つ以上の開口を有し、その一つ以上の開口は、液体がスペースからドレン排水を行うことを可能にし、さらに、スペースへのエアーの侵入を可能にする。
【００２３】
さらなる態様において、本発明は、概して、レインスクリーン装置のエアーバリアの上に位置するバッテンと、ベースを有する密閉部材と、そのベースから突出する少なくとも二つのリップ部とを含むレインスクリーンシール構造を提供し、リップ部は、互いに一定の間隔がおかれ、一つのリップ部は、第一のレインスクリーンパネルの背面表面との実質的な密閉接触を行うように構成され、第二のリップ部は、第二のレインスクリーンパネルの背面表面との実質的な密閉接触を行うように構成され、第二のパネルは、第一のパネルに隣接して位置する。
【００２４】
さらなる態様において、本発明は、概して、レインスクリーンを構成する方法を提供し、その方法は、実質的に剛性のエアーバリアをビルディングフレームの外側側面に付着する工程と、実質的に剛性のエアーバリアの外側表面全体にわたり一つ以上のバッテンを付着する工程と、バッテンの少なくとも一つ全体にわたりレインスクリーンパネルを付着する工程とを含む。
【００２５】
実質的に剛性のエアーバリアは、パネルの形状をとることが好ましい。パネルは、厚さがほぼ２〜１５ｍｍの間であることが好ましく、厚さが５〜７ｍｍの間であることがより好ましい。エアーバリアは、セメント質材料、方向付けられたストランドボード、ベニヤ合板、メタル、発泡ポリマーフォーム、あるいは、これらの組み合せなどを含むあらゆる適切な材料から形成されることができる。パネルは、ファイバーセメントから形成されることが最も好ましい。
【００２６】
レインスクリーンは、セメント質材料、方向付けられたストランドボード、ベニヤ合板、メタル、ポリマーフォーム、あるいは、これらの組み合せなどを含むパネルの形状をとることが好ましい。レインスクリーンパネルは、厚さがほぼ２〜１１ｍｍの間であることがより好ましく、厚さが７〜１１ｍｍの間であることがより好ましく、厚さが９ｍｍであることが最も好ましい。レインスクリーンパネルは、ファイバーセメントを含むことが最も好ましい。
【００２７】
さらなる態様において、本発明は、概してレインスクリーンを構成する方法を提供し、前記方法は、
実質的に剛性のエアーバリアパネルを設ける工程と、
耐水材料でパネルをコーティングする工程と、
エアーバリアパネルの外側表面全体にわたり一つ以上のバッテンを付着する工程と、
レインスクリーンパネルがエアーバリアパネルから一定の間隔をおかれるように、バッテン全体にわたりレインスクリーンパネルを固定する工程と、
実質的に耐水性の材料でレインスクリーンパネルの外側材料をコーティングする工程とを含む。
【００２８】
パネルの一つ、あるいは、両方がファイバー補強セメントパネルであることが好ましい。
【発明を実施するための最良の形態】
【００２９】
本発明の好ましい実施形態を、添付の図面を参照して説明する。
【００３０】
図１は、コンクリート柱１の形状をとる構造用コンクリートサポートと吊りコンクリートフロア２とを有するビルディング構造を示す。コンクリートの構造用サポート間に、全体として４で参照されるフレーミングが提供され、間柱５と詰め煉瓦６とを含む。この例では、フレーミングは、材木であるが、当業者は、他のフレーミング材料、たとえば、スチールフレーム材料が使用されることができることを理解している。図１における構造は、ビルディング、好ましくは、必ずしもではないが、商業ビルの露出した外側構造を表わす。
【００３１】
図２を参照すると、本発明によるレインスクリーンを設けるようにフレーミングをクラッディングする第一の工程が図示され、全体として８で参照されるエアーバリアが提供されている。図示される例には、多数の独立したパネルが、エアーバリアを生成するためにフレーミングに固定される。パネルの数は、変えることができ、たとえば、単一のパネルが、使用されることが可能であり、パネルの数は、使用されるパネルの寸法およびカバーされるのに必要とされる構造のエリアにより変わる。図２において、それぞれ１０で参照される１２のエアーバリアが、示されている。パネルは、ファイバーセメントパネル（たとえば、ジェームズ  ハーディー  ビルディング  プロダクツ  プロプライアトリー  リミテッド（James Hardie Building Products Pty.Ltd）によって製造されるＨａｒｄｉｆｌｅｘ（登録商標））であることが好ましい。とはいえ、木のパネル、木製合成物（方向付けられたストランドボード、あるいは、ベニヤ合板など）、メタル、発泡ポリマーフォーム、あるいは、これらの材料を含む合成パネルも、適切な剛性のエアーバリアを作る。エアーバリアパネル１０間の鉛直ジョイントにおいて、密閉ストリップ１２が、下記でより詳細に説明されるように、設けられる。
【００３２】
別の方法として、剛性のエアーバリアは、ポリマー材料、あるいは、実質的に撥水セルロース系材料を含む少なくとも一つの薄いシートの形状をとり、前記シートは、それに付着される比較的剛性の補強手段を有する。一実施形態において、薄いシートは、薄いシートの少なくとも一つの表面に積層されるファイバーグラス、メタル、ポリマー材料のメッシュを含む比較的剛性の補強手段を有する実質的にポリオレフィン材料である。別の方法として、比較的剛性の補強手段は、薄いシートの少なくとも一つの表面に積層される一連のバッテンなどである。
【００３３】
図３において、バッテン１４の形状をとるスペーサが、エアーバリア全体にわたり配置されて示される。この例では、バッテンは、処理した木製材料から構成されることが好ましく、断面が５（ｍｍ）×２０（ｍｍ）であることが好ましい。当業者は、他の材料がスペーサを設けるのに使用されることができること、たとえば、メタル、あるいは、ポリマー合成物から構成されることができることを理解するであろう。さらにまた、バッテン、あるいは、スペーサ１６は、さらに、必要な場合、設けられることができる。
【００３４】
図４において、図３の構造が示され、多数のスペースがレインスクリーンの壁とエアーバリアとのあいだに設けられるように、レインバリアパネル２０が、バッテン全体にわたり固定されている。図５は、平面図で部分構造を示し、エアーバリアとレインスクリーンパネルとのあいだのスペースは、２１で参照されている。図４および図５において、Ａ〜Ｈで標識付けされる領域は、残りの図面でより詳細に示される。
【００３５】
Ａの詳細は、図６に示され、さらにエアーバリアパネル１０は、釘２２などのファスナーによって、これの下方エッジで、フレーミングアセンブリの底部プレート２４に固定されるということが分かる。６５（ｍｍ）×１０（ｇ）の木製ねじ付きねじ２６などの適切なねじが、レインスクリーンパネル、バテンおよびエアーバリアを底部プレートに固定する。釘２２は、さらに、スクリーンのベースの所定の位置にベントストリップ２８を保持することができる。レインバリアパネル２０は、Ｔｉｔａｎ（商品名）、あるいは、Ｅｘｏｔｅｃ（商品名）のもとに市場に出されているものなどのファイバー補強セメントパネルを含むことが好ましい。パネル２０の好ましい厚さは、７〜１１ｍｍであり、９ｍｍであることが最も好ましい。図６Ａにおいて、ベントストリップは、等角スケッチとしてより詳細に示され、それは、パネル１０とパネル２０とのあいだのスペースの雨水などのあらゆる水がそのスペースからドレン排水を行うことを可能にするのに十分な寸法を有する多数の開口３０をベースに有し、スペースが使用中圧力均一化されることができるようにスペースへのエアーの侵入を可能にし、その結果、風に吹き寄せられた雨などの水の侵入を阻止することを明らかにしている。
【００３６】
図７を参照すると、図４のＢの詳細が示され、間柱５へのレインスクリーン配列の連結が示される。ねじ、あるいは、類似のファスナー３２が、スクリーン１０，２０とバッテン１４とを確実に間柱に連結する。
【００３７】
図８において、スクリーン配列の水平に隣接したパネル間の鉛直ジョイントが図示されている。５０ｍｍ幅で、適切なプラスチック、あるいは、ゴムなどの弾性材料から構成されることが好ましい密閉ストリップ３４が、隣接したエアーバリアパネル１０間のジョイント全体にわたり置かれている。密閉ストリップ３４は、注意して、ジョイントまわりの位置に支援するように、両側に接着剤でコーティングされることが好ましい。バッテン１４（別の方法として所望の場合、単一のバッテンを含むことができる）は、各バッテンの一つの側が、確実に所定の位置に密閉ストリップを保持するように、密閉ストリップ３４の上方表面全体にわたり直接設けられる。
【００３８】
バッテン１４のもう一つの側に、別の密閉ストリップ３６が、ベース３８と、そのベースから突出する二つの突出密閉リップ部４０とを有して、設けられる。一つのリップ部４０は、レインスクリーンパネル２０のそれぞれの背面表面に係合する。その配列は、かなりのシールがパネル１０およびパネル２０のそれぞれの側面エッジ間で行われるようなものである。
【００３９】
図９を参照すると、図４のＤの詳細が示されている。この図面において、フラッシング４２が、設けられ、それは、エアーバリアパネルの上に、かつ、レインスクリーンパネルの外側表面の上にそれぞれ位置するように第一のエッジ部分４４と、第二のエッジ部分４６と有することが分かる。中央ブリッジング部分４８が、９０度以上の、すなわち、実質的にエッジ４４，４６に対して鈍角に角をなす。これにより、下方に角をなすフロー通路をもたらし、それにより、図９に示されるような上方パネルのスペース内のあらゆる水が、これらのパネル間から、図面に示される下方レインスクリーンパネルの外側へドレン排出されることを可能にする。排水を可能にするとともに、フラッシング４２は、さらに、密閉を支援し、あるいは、少なくとも、下方エアーバリアパネルと下方レインスクリーンパネル間のシールを保護する。鉛直に隣接したエアーバリアパネルを密閉するバッキングＰＥＦロッド５０全体にわたるシーラント４８によって生成されるシールも示されている。
【００４０】
図１０において、図４のＥの詳細が示され、それは、再度上記に説明されるシールストリップ３６を示している。
【００４１】
図４のＦの詳細を示す図１１において、鉛直に隣接したパネル間のジョイントである短いサポートバッテン１６は、ねじ５６が貫通するアルミニウム製ソケット５４とともに使用される。商標Ｆｏｓｒｏｃｋ  ＭＳシーラントのもとに販売されるもの、あるいは、類似物などのシーラント５８が、ソケット５４とレインスクリーンパネル２０のエッジとのあいだに使用される。
【００４２】
図１２において、アルミニウム製ソケットおよび封止剤(sealant)の配列が、図４のＧの詳細にしたがって立面図で示されている。
【００４３】
図１３において、たとえば、出隅の詳細が示され、ブチノール（butynol）などの実質的に弾性材料の８０ｍｍ幅のストリップの密閉ストリップ６０が設けられていることが分かる。図１４において、図５のＩの詳細が示され、図１３を参照として上記に説明されるのと同じもの、あるいは、類似のものなどの密閉ストリップが、さらに、入隅に適切なシールをもたらすように使用されることができるということが分かる。
【００４４】
エアーバリアパネルの外側表面１０、すなわち、フレーミングから離れた表面は、実質的に耐水コーティングでコーティングされること好ましい。同様に、レインスクリーンパネル２０の外側表面、すなわち、バッテン１４に対向する表面は、さらに、実質的に耐水コーティングでコーティングされることが好ましい。
【００４５】
前述から、効果的なレインスクリーンシステム、特に、圧力均一レインスクリーンが、効果的な密閉配列とともに設けられているということが分かる。密閉配列により、エアーバリアとレインスクリーンパネルとのあいだのスペースが、側面および上方エッジに沿って効果的に密閉されることが可能であると同時に、下方エッジにベントを設ける。このように、スペース内の空気圧は、たとえば、風からなどの外側圧力に均一化される。それゆえ、風によって運ばれる雨滴などの水をレインスクリーンの後のスペースに侵入させる圧力差がない。結果として、レインスクリーンは、雨がビルディング構造に侵入することを防止する。
【００４６】
そこで、前述の説明において、周知の同等物を有する本発明の特定の構成要素、あるいは、全体を参照とし、したがって、上述の同等物は、個々に記述されるようにここに取入れて載せられている。
【００４７】
本発明は、例示として、そして、それについての可能な実施形態を参照として説明されてきたとはいえ、修正、あるは、改良が、本発明の範囲、あるいは、精神から逸脱することなく、それについて行われることができるということは理解されるべきである。
【００４８】
ここに説明される現在の好ましい実施形態に対する様々な変更および修正が当業者には明らかであるということは留意すべきである。上述の変更および修正は、本発明の精神および範囲から逸脱することなく、かつ、これの付随する利点を減少することなく、行われることができる。それゆえ、上述の変更および修正は、添付の特許請求の範囲によって保護されるということが意図される。
【図面の簡単な説明】
【００４９】
【図１】２階建てビルディング構造の正面図である。
【図２】２階建てビルディング構造に固定されるエアーバリアを含む図１の構造の正面図である。
【図３】エアーバリア全体にわたりさらに設けられるバッテンを含む図２の立面図である。
【図４】図３の構造の正面図であり、さらにまた、バッテン全体にわたり設けられるレインスクリーンを含む。
【図５】図４の平面図である。
【図６】図４のＡの詳細の側面図および断面である。
【図６Ａ】ベントの等角スケッチである。
【図７】図４のＢの詳細の平面図および断面である。
【図８】図４のＣの平面図および断面である。
【図９】図４のＤの詳細の側面図および断面である。
【図１０】図４のＥの詳細を示す部分立面図である。
【図１１】図４のＦの詳細を示す側面図および断面である。
【図１２】図４のＧの詳細を示す部分立面図である。
【図１３】図５のＨの詳細を示す断面平面図である。
【図１４】図５のＩの詳細を示す平面図および断面である。
【図１】
2007521427.tif 000003
【図２】
2007521427.tif 000004
【図３】
2007521427.tif 000005
【図４】
2007521427.tif 000006
【図５】
2007521427.tif 000007
【図６】
2007521427.tif 000008
【図７】
2007521427.tif 000009
【図８】
2007521427.tif 000010
【図９】
2007521427.tif 000011
【図１０】
2007521427.tif 000012
【図１１】
2007521427.tif 000013
【図１２】
2007521427.tif 000014
【図１３】
2007521427.tif 000015
【図１４】
2007521427.tif 000016
【国際調査報告】
2007521427.tif 000017
2007521427.tif 000018
2007521427.tif 000019